(57)【要約】【課題】長芋等の根菜類の包装材として、緩衝性、固定性、及び隔水や保湿性が良好で、根菜類の形状や大きさの変化にも容易に対応でき、根菜類の輸送、保管に好適に使用できる包装材を提供する。【解決手段】熱可塑性樹脂シートから一体に成形され、根菜類Ｂを収容するための横断面半円形の長溝状の収納凹部１が形成された包装材Ａで、収納凹部１を、長手方向の所定間隔毎に、凹部内方に膨出して頂部３ａに丸みのある断面三角状をなす同心半円状の凸条リブ３を設け、長手方向に蛇腹状なすものとする。【選択図】図３
0003137751.tif 000002
【実用新案登録請求の範囲】
【請求項１】
根菜類の包装材であって、熱可塑性樹脂シートから一体に成形され、前記根菜類を収容するための横断面半円形で長溝状の収納凹部が形成されてなり、前記収納凹部は、長手方向の所定間隔毎に、凹部内方に膨出する同心半円状の凸条リブが設けられ、長手方向に蛇腹状をなしていることを特徴とする根菜類の包装材。
【請求項２】
前記凸条リブは、頂部が丸みのある断面三角状をなしている請求項１に記載の根菜類の包装材。
【請求項３】
前記収納凹部の長手方向の両端壁部には、根菜類の端部が弾力的に当接できるように内方に向かって膨出する凸部が形成されてなる請求項１又は２に記載の根菜類の包装材。
【請求項４】
包装材における前記収納凹部の長手方向の両端側の端縁部に、外箱に収納する際の緩衝用のフラップが折曲可能に連接されてなる請求項１〜３のいずれか１項に記載の根菜類の包装材。
【請求項５】
熱可塑性樹脂シートが発泡シートである請求項１〜４のいずれか１項に記載の根菜類の包装材。
【考案の詳細な説明】
【技術分野】
【０００１】
本考案は、長芋や蓮根等の根菜類の輸送や保管の際に使用する包装材に関するものである。
【背景技術】
【０００２】
従来、ヤマノイモ科に属する山芋の一種である長芋、或いは蓮根等の長さが直径に比して長い根菜類の輸送や保管に際しては、緩衝、固定、吸水、保湿を主たる目的として、おが屑、木毛等の木質系天然素材が使用され、該素材とともに前記根菜類を段ボール箱内に収納して包装していた。
【０００３】
近年においては、前記おが屑や木毛等の木質系天然素材は、使用後の分別廃棄作業の手間や処理コストの問題に加え、将来的な材料確保に懸念があることにより、前記素材を不要にできる代替材料や包装材が求められている。
【０００４】
例えば、長芋用容器として、特許文献１（実公昭５８−３６７１０号公報）には、熱可塑性樹脂シートから形成される容器において、長芋を収納する長溝状の凹部を並設し、該凹部の底部に内方へ膨出した多数の突部を千鳥状に形成したものが開示され、また、特許文献２（実公昭５８−３６７１５号公報）には、前記同様の凹部の底部に幅方向に対し蛇腹状となる凹凸を形成したものが開示されている。
【特許文献１】実公昭５８−３６７１０号公報
【特許文献１】実公昭５８−３６７１５号公報
【考案の開示】
【考案が解決しようとする課題】
【０００５】
前記容器に収納した長芋を段ボール箱等の外箱に入れて輸送する場合の積載時等においては、底からの落下のほか、天地逆での落下、横方向の落下、斜め落下等が考えられるが、前記特許文献１，２のいずれの場合も、断面角凹形の凹部の底部に緩衝用の突部又は凹凸が設けられているだけであるため、前記の横方向落下や斜め方向落下等において発生する衝撃に対しては緩衝効果が低く、収納されている長芋が折損する心配があり、充分には満足できないものであった。
【０００６】
さらに、前記凹部が基本的に角凹形で両側面が平面をなしているため、根菜類の大きさや形状のバラつきに対応性が低く、仮に溝幅より径小の根菜類を収納した場合には、安定性よく保持できず、輸送の際の振動等により凹部内で揺動する虞があった。
【０００７】
特に、収納される長芋等の根菜類は予冷されていることもあって、表面に結露水が生じるが、結露水が根菜類と前記凹部内面との接触部分に留まっていると、根菜類が濡れ接触状態になって、菌発生により根菜類に腐り生じ易くなるので、凹部内面との接触面積、すなわち結露水等による濡れ接触面積をできるだけ少なくすることが望まれ、しかも保湿性を有することが望まれる。
【０００８】
本考案は、前記の問題を解決するためになしたもので、長芋や蓮根等の根菜類の包装材として、収納する根菜類の保護のために求められる緩衝性、固定性、及び隔水や保湿性が良好で、しかも根菜類の形状や大きさの変化にも容易に対応でき、根菜類の輸送、保管に良好に使用できる包装材を提供するものである。
【課題を解決するための手段】
【０００９】
上記の課題を解決する本考案は、根菜類の包装材であって、熱可塑性樹脂シートから一体に成形され、前記根菜類を収容するための横断面半円形の長溝状の収納凹部が形成されてなり、前記収納凹部は、長手方向の所定間隔毎に、凹部内方に膨出する同心半円状の凸条リブが設けられ、長手方向に蛇腹状をなしていることを特徴とする。
【００１０】
これにより、収納される長芋や蓮根等の根菜類は、略半周の下部分において該収納凹部に有する同心半円状の凸状リブにより下方及び左右側方から複数個所で支持される。そのため、前記根菜類を安定性よく保持できて横揺れし難くなる上、底方向落下のみでなく、横方向落下や斜め方向落下による衝撃に対する緩衝効果も高くなる。さらに、同じ形態の包装材を上蓋として前記包装材と組み合わせて使用した場合は、天地逆落下に対する緩衝効果も高くなる。また、前記収納凹部が前記凸条リブにより長手方向に蛇腹状をなしているために、根菜類の形状や大きさの変化にも対応し易く、本来バラつきのある天然の根菜類を問題なく収納できかつ安定性よく保持できる。
【００１１】
しかも、根菜類の表面に生じた結露水等の水分は、前記凸条リブ間の凹部に流れ落ちることで、根菜類と前記凸条リブとの接触部分に留まり難く、根菜類が濡れ接触状態に保持され難くなっている。また、凸条リブ間の凹部に溜まる水分により、収納凹部内の乾燥を防ぎ、根菜類の鮮度保持に必要な保湿性を確保できる。
【００１２】
特に、前記凸条リブは、頂部が丸みのある断面三角状をなしているものが好ましく、これにより、前記根菜類の凸条リブとの接触面積を小さくできて、結露水などが留まり難く、そのため根菜類の濡れ接触面積が減少し、根菜類がさらに損傷し難くなり、その保護を良好になし得る。
【００１３】
前記収納凹部の長手方向の両端壁部には、根菜類の端部が弾力的に当接できるように内方に向かって膨出する凸部が形成されてなるものが好ましく、これにより、輸送中等において、収納凹部の長手方向の振動等のよる衝撃を緩和、軽減でき、根菜類の破損を防止できる。
【００１４】
前記包装材における前記収納凹部の長手方向の両端側の端縁部に、外箱に収納する際の緩衝用のフラップが折曲可能に連接されてなるものであると、前記収納凹部に根菜類を収納して外箱内に入れて梱包する際、前記フラップが外箱との間のクッションの役目を果たし、包装材と外箱との寸法誤差を吸収でき、外箱内での包装材の遊動やガタ付きを防止できる。
【００１５】
前記包装材は、熱可塑性樹脂シートが発泡シートであるのが、軽量でかつ緩衝性がさらに良好なものになる。
【考案の効果】
【００１６】
本考案の包装材によれば、長芋や蓮根等の根菜類を安定性よく収納保持できて、この種の包装材に求められる緩衝性に優れ、また隔水や保湿性も良好で、根菜類の保護を良好になし、また、根菜類の形状や大きさの変化にも容易に対応でき、根菜類の輸送、保管に良好に使用できる。
【考案を実施するための最良の形態】
【００１７】
次に本考案の実施の形態を図面に示す実施例に基づいて説明する。
【００１８】
図１は本考案にかかる根菜類の包装材の実施例を示す平面図であり、図２は同包装材の一部の拡大斜視図、図３は図１のIII−III線の拡大断面図、図４は図３のIV−IV線の拡大断面図、図５は図３のV−V線の拡大断面図である。図６及び図７は使用状態の１例を示す断面図、図８は他の使用状態を示す一部の断面図である。
【００１９】
この実施例の包装材Ａは、主として長さが太さの直径に比して長い長芋や蓮根等の根菜類Ｂを包装するのに使用するもので、図に示すように、熱可塑性樹脂シートから、プレス成形や真空成形等のシート成形加工の手段により、周縁部を平板状に残して一体に成形されてなり、上面側に、前記根菜類Ｂを収容するための横断面半円形で長溝状の収納凹部１が所要の間隔をおいて複数並設されている。図の場合は、五つの収納凹部１が並設されている。図中の符号２は前記収納凹部１，１間の平坦部を示す。
【００２０】
前記収納凹部１は、長手方向の所定間隔毎に、収納凹部１の内方に膨出する同心半円状の凸条リブ３が設けられ、該収納凹部１の全体が長手方向に蛇腹状をなしている。
【００２１】
前記凸条リブ３は、同心半円状をなすものであれば、断面が略台形や略半円形をなすものであってもよいが、実施上は収納される根菜類Ｂとの接触面積をできるだけ小さくする上で、頂部３ａが丸みを有する断面形状、例えば図のように、頂部３ａが丸みのある断面三角状をなしているものが好ましい。特に、前記凸条リブ３と、該凸条リブ３，３間の凹部４とが、断面においてジグザグ状をなすように形成されていると、根菜類Ｂの形状や大きさの変化に追従して弾性変形し易くなり、より好ましい。
【００２２】
前記凸条リブ３の高さＨ及び配設ピッチ（間隔）Ｐは、熱可塑性性樹脂シートの厚みや弾力性、収納凹部１の大きさ及び収納する根菜類Ｂの種類等に応じて適宜設定して実施できるが、例えば、根菜類Ｂが長芋である場合、支持状態の安定性や緩衝効果及び接触面積等の点から、前記凹部４の最大径の底部からの凸条リブ３の高さＨは１０〜２０ｍｍ、また配設ピッチＰは２０〜４０ｍｍとされる。もちろん、前記範囲外の実施も可能である。
【００２３】
前記収納凹部１の長手方向の両端壁部には、根菜類Ｂの端部が弾力的に当接できるように内方に向かって膨出する凸部５、５が形成されている。この凸部５，５は、収納凹部１に収納された根菜類Ｂの端部が弾力的に当接することで、長手方向の衝撃緩和の役目を果たし、根菜類Ｂの端部の破損を防止できる。
【００２４】
前記包装材Ａにおける前記収納凹部１の長手方向の両端側の端縁部には、下方側に弾力的に折曲可能なフラップ６が連接されており、該包装材Ａを外箱Ｃに収容して梱包する際に、前記フラップ６が外箱Ｃの内面に弾力的に当接するクッションの役目を果たし（図３、図６及び図８に鎖線で示す）、前記収納凹部１の長手方向の振動や衝撃に対する緩衝性を高めることができる。前記フラップ６は、下方向きに折曲した状態において下端が前記収納凹部１の最大径の凹部４による下面より下方に突出しない長さとする。
【００２５】
前記包装材Ａを形成する熱可塑性樹脂シートとしては、ポリスチレン系樹脂、ポリプロピレンやポリエチレン等のポリオレフィン系樹脂、高密度ポリエチレン系樹脂、ポリエステル系樹脂、ポリ塩化ビニル樹脂その他の適度の弾力性を有しかつ保形強度のある各種の合成樹脂発泡シート、あるいはこれらの合成樹脂発泡シートの片面もしくは両面に非発泡樹脂の表皮層を設けた合成樹脂発泡シートが好適に用いられる。もちろん、前記合成樹脂の非発泡樹脂シートも使用することができる。
【００２６】
前記の熱可塑性樹脂シートが発泡シートである場合の厚みは、使用素材によっても異なるが、ポリスチレン系樹脂の発泡シートの場合、厚み１〜３ｍｍ程度であり、密度が０．０５〜０．２ｇ／ｃｍ３程度に発泡しているものが好ましい。また、架橋ポリプロピレン系樹脂の発泡シートの場合、厚み２〜６ｍｍ程度であり、密度が０．０２〜０．１ｇ／ｃｍ３程度に発泡しているものが好ましい。 
上記の包装材Ａは、通常、段ボール箱等の外箱Ｃ内にセットしておいて、包装対象の長芋や蓮根等の根菜類Ｂを各収納凹部１に収納する（図３〜図５の鎖線）。収納される根菜類Ｂは、略半周の下部分において該収納凹部１に有する収納凹部１に対応した同心半円状をなす前記凸状リブ３により下方及び左右側方から複数個所で安定性よく支持される。また、前記収納凹部１が前記凸条リブ３により長手方向に蛇腹状をなしているため、根菜類Ｂの形状や大きさの変化にも容易に追従でき、本来バラつきのある天然の根菜類Ｂを問題なく収納でき、安定性よく保持することができる。
【００２７】
前記のように根菜類Ｂを収納凹部１に収納した状態で梱包するが、この際、図６及び図７のように、同じ形態の包装材Ａ’を上蓋として、前記包装材Ａに収納した根菜類Ｂの上に被せて使用することができる。すなわち２つの包装材Ａ，Ａ’を組み合わせて使用することができる。
【００２８】
また、前記包装材を上蓋としても使用する場合、同形の２つの包装材をヒンジ部を介して一体に連接しておき（図示せず）、一方の包装材に根菜類を収納した後、他方の包装材を前記ヒンジ部で折曲して前記一方の包装材に収納されている根菜類に被せるようにすることもできる。
【００２９】
また、前記包装材Ａを上蓋として使用しない場合、図８のように、エアーキャップシート７等の緩衝性のあるシートを根菜類Ｂの上に被せて梱包することもできる。
【００３０】
上記の包装状態において、前記根菜類Ｂを安定性よく保持できて横揺れし難くなる上、底方向落下のみでなく、横方向落下や斜め方向落下による衝撃に対して優れた緩衝効果を発揮できる。特に、同形の包装材Ａを前記のようにして上蓋として組み合わせ使用した場合には、天地逆落下に対する緩衝性も良好なものになる。
【００３１】
しかも、根菜類Ｂの表面に生じた結露水等の水分は、前記凸条リブ３，３間の凹部４に流れ落ちることで、根菜類Ｂと前記凸条リブ３との接触部分に留まり難く、該凸条リブ３が頂部が丸みのある断面三角状で根菜類との接触面積がきわめて小さくなっていることもあって、根菜類Ｂが濡れ接触状態に保持され難く、根菜類Ｂの接触部分からの損傷を抑制できる。また、凸条リブ３，３間の凹部４に溜まる水分により、収納凹部１内の乾燥を防ぎ、根菜類Ｂの鮮度保持に必要な保湿性を確保できる。
【００３２】
下記の表１は本考案の包装材の実施例品を使用して梱包した場合の落下試験結果を示している。
【００３３】
試験に供した包装材は、厚み２．３２ｍｍ，坪量２３０ｇ／ｍ２、密度０．１０ｇ／ｃｍ３のポリスチレン発泡シートに、厚み１４０μ、坪量１４０ｇ／ｍ２  のポリスチレンフィルムをラミネートした発泡シートを用い、縦横５９０×５３０ｍｍのシート内に最大径９０ｍｍの五つの収納凹部を図１のように形成し、各収納凹部における断面三角状の凸条リブ３を、高さＨ１５ｍｍ、配設ピッチＰ１５ｍｍとして形成したもの（実施例１）と、高さＨ１５ｍｍ、配設ピッチＰ３０ｍｍとして形成したもの（実施例２）とした。
【００３４】
落下試験は、前記の２種の包装材について、それぞれ図６のように、収納凹部に根菜類としての長芋を収納し、同形の包装材を上蓋にして被せて外箱に収容し梱包した状態で、表１中のように所定の高さから水平落下試験を行い、内部の長芋の折れの発生状態を調べた。
【表１】
0003137751.tif 000003
【００３５】
上記の落下試験の結果、本考案の包装材の実施例１，２のいずれの場合も、内部の長芋には折れは発生しなかった。
【００３６】
また、上記と同様に、架橋ポリプロピレンの発泡シートにより上記実施例１，２と同様の包装材を形成し、前記と同じ落下試験を行った場合も、内部の長芋に折れは発生しなかった。従って、本考案の包装材は、収納される長芋等の根菜類の緩衝性に優れ、これらの根菜類の輸送や保管に好適に使用できることになる。
【産業上の利用可能性】
【００３７】
本考案の根菜類の包装材は、長芋や蓮根等の長さが太さの直径よりも長い根菜類の包装状態での輸送や保管に好適に使用できる。
【図面の簡単な説明】
【００３８】
【図１】本考案にかかる根菜類の包装材の実施例を示す平面である。
【図２】同上の包装材の一部の拡大斜視図である。
【図３】図１のIII−III線の拡大断面図である。
【図４】図３のIV−IV線の拡大断面図である。
【図５】図３のV−V線の拡大断面図である。
【図６】本考案の包装材の使用状態の１例を示す一部の縦断面図である。
【図７】同上の一部の横断面図である。
【図８】他の使用状態を示す一部の断面図である。
【符号の説明】
【００３９】
Ａ，Ａ’…包装材、Ｂ…根菜類、Ｃ…外箱、１…収納凹部、２…平坦部、３…凸条リブ、３ａ…頂部、４…凹部、５…凸部、６…フラップ。
【図１】
0003137751.tif 000004
【図２】
0003137751.tif 000005
【図３】
0003137751.tif 000006
【図４】
0003137751.tif 000007
【図５】
0003137751.tif 000008
【図６】
0003137751.tif 000009
【図７】
0003137751.tif 000010
【図８】
0003137751.tif 000011